【手続補正書】
【提出日】平成25年9月12日(2013.9.12)
【手続補正１】
【補正対象書類名】明細書
【補正対象項目名】発明の名称
【補正方法】変更
【補正の内容】
【発明の名称】高度計及び高度計の自動計数方法
【手続補正２】
【補正対象書類名】明細書
【補正対象項目名】０００１
【補正方法】変更
【補正の内容】
【０００１】
この発明は、高度を計測して記録可能な高度計及び高度計の自動計数方法に関する。
【手続補正３】
【補正対象書類名】明細書
【補正対象項目名】０００７
【補正方法】変更
【補正の内容】
【０００７】
この発明の目的は、上下方向への移動動作回数や移動高度差をより確実に自動計数して取得することのできる高度計及び高度計の自動計数方法を提供することにある。
【手続補正４】
【補正対象書類名】明細書
【補正対象項目名】０００８
【補正方法】変更
【補正の内容】
【０００８】
本発明は、
予め定められた時間間隔毎に高度を測定する高度測定手段と、
前記高度測定手段により測定された高度データを記憶する高度記憶手段と、
前記高度測定手段による測定開始時に測定された初期高度を前記高度記憶手段に記憶させる初期高度記憶制御手段と、
予め定められた基準高度差以上の上昇及び下降を含む動作の組み合わせからなる高度変化動作の回数を記憶する回数記憶手段と、
前記回数記憶手段に記憶された回数の前記高度変化動作の期間中に計測された上昇高度差、及び／又は、下降高度差の累積値を記憶する累積垂直高度記憶手段と、
前記高度測定手段により測定された高度データに基づいて前記初期高度から最初に前記基準高度差上昇したか否かを判別する動作開始判別手段と、
各回の前記高度変化動作における下降時に前記高度測定手段により測定された最低高度を前記高度記憶手段に記憶させる最低高度記憶制御手段と、
各回の前記高度変化動作の期間中に、前記高度測定手段により測定された高度データに基づいて前記最低高度から前記基準高度差上昇したか否かを判別する動作継続判別手段と、
前記動作開始判別手段により最初に前記基準高度差上昇したと判別された場合、及び、前記動作継続判別手段により前記基準高度差上昇したと判別された毎に、前記回数記憶手段が記憶する回数データを歩進させる歩進手段と、
前記動作継続判別手段により前記基準高度差上昇したと判別された場合に、前回の基準高度差上昇に対応する前記高度変化動作の期間を決定し、当該高度変化動作の期間内での高度差に基づき移動垂直高度を算出して当該移動垂直高度を前記累積垂直高度記憶手段に記憶されている累積垂直高度データに積算させると共に、前記高度記憶手段に記憶させた前記最低高度を初期化して前記最低高度記憶制御手段、及び、前記動作継続判別手段を再動作させる計測制御手段と
を備えることを特徴とする高度計である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
予め定められた時間間隔毎に高度を測定する高度測定手段と、
前記高度測定手段により測定された高度データを記憶する高度記憶手段と、
前記高度測定手段による測定開始時に測定された初期高度を前記高度記憶手段に記憶させる初期高度記憶制御手段と、
予め定められた基準高度差以上の上昇及び下降を含む動作の組み合わせからなる高度変化動作の回数を記憶する回数記憶手段と、
前記回数記憶手段に記憶された回数の前記高度変化動作の期間中に計測された上昇高度差、及び／又は、下降高度差の累積値を記憶する累積垂直高度記憶手段と、
前記高度測定手段により測定された高度データに基づいて前記初期高度から最初に前記基準高度差上昇したか否かを判別する動作開始判別手段と、
各回の前記高度変化動作における下降時に前記高度測定手段により測定された最低高度を前記高度記憶手段に記憶させる最低高度記憶制御手段と、
各回の前記高度変化動作の期間中に、前記高度測定手段により測定された高度データに基づいて前記最低高度から前記基準高度差上昇したか否かを判別する動作継続判別手段と、
前記動作開始判別手段により最初に前記基準高度差上昇したと判別された場合、及び、前記動作継続判別手段により前記基準高度差上昇したと判別された毎に、前記回数記憶手段が記憶する回数データを歩進させる歩進手段と、
前記動作継続判別手段により前記基準高度差上昇したと判別された場合に、前回の基準高度差上昇に対応する前記高度変化動作の期間を決定し、当該高度変化動作の期間内での高度差に基づき移動垂直高度を算出して当該移動垂直高度を前記累積垂直高度記憶手段に記憶されている累積垂直高度データに積算させると共に、前記高度記憶手段に記憶させた前記最低高度を初期化して前記最低高度記憶制御手段、及び、前記動作継続判別手段を再動作させる計測制御手段と
を備えることを特徴とする高度計。
【請求項２】
前記計測制御手段は、
前記動作継続判別手段により前記基準高度差上昇したと判別された場合に、決定された前記高度変化動作の期間内での高度差に基づいて算出された移動垂直高度を前記高度記憶手段に順次記憶させる
ことを特徴とする請求項１記載の高度計。
【請求項３】
予め定められた時間間隔毎に高度を測定する高度測定手段と、
前記高度測定手段により測定された高度データを記憶する高度記憶手段と、
前記高度測定手段による測定開始時に測定された初期高度を前記高度記憶手段に記憶させる初期高度記憶制御手段と、
予め定められた基準高度差以上の上昇及び下降を含む動作の組み合わせからなる高度変化動作の回数を記憶する回数記憶手段と、
前記高度測定手段により測定された高度データに基づいて前記初期高度から最初に前記基準高度差上昇したか否かを判別する動作開始判別手段と、
各回の前記高度変化動作における下降時に前記高度測定手段により測定された最低高度を前記高度記憶手段に記憶させる最低高度記憶制御手段と、
各回の前記高度変化動作の期間中に、前記高度測定手段により測定された高度データに基づいて前記最低高度から前記基準高度差上昇したか否かを判別する動作継続判別手段と、
前記動作開始判別手段により最初に前記基準高度差上昇したと判別された場合、及び、前記動作継続判別手段により前記基準高度差上昇したと判別された毎に、前記回数記憶手段が記憶する回数データを歩進させる歩進手段と、
前記動作継続判別手段により前記基準高度差上昇したと判別された場合に、前回の基準高度差上昇に対応する前記高度変化動作の期間を決定し、当該高度変化動作の期間内での高度差に基づき移動垂直高度を算出して当該移動垂直高度を前記高度記憶手段に順次記憶させると共に、前記高度記憶手段に記憶させた前記最低高度を初期化して前記最低高度記憶制御手段、及び、前記動作継続判別手段を再動作させる計測制御手段と
を備えることを特徴とする高度計。
【請求項４】
前記計測制御手段は、前記歩進手段により前記回数記憶手段が記憶する回数データが歩進されてから、次に回数データが歩進されるまでの期間に前記高度測定手段により計測された最高高度を取得し、当該最高高度と前記最低高度との高度差に基づいて前記移動垂直高度を算出する
ことを特徴とする請求項１又は３記載の高度計。
【請求項５】
現在時刻を計数する計時手段を備え、
前記計測制御手段は、前記高度記憶手段に前記移動垂直高度を記憶させた時刻を当該移動垂直高度と関連付けて前記高度記憶手段に記憶させる
ことを特徴とする請求項２又は３記載の高度計。
【請求項６】
前記基準高度差は、正の値である
ことを特徴とする請求項１又は３記載の高度計。
【請求項７】
前記計測制御手段は、
複数回に亘って前記基準高度差上昇が判別された際の隣接する２回の判別タイミングの間の期間を各々の前記高度変化動作の期間として設定する
ことを特徴とする請求項１又は３記載の高度計。
【請求項８】
予め定められた時間間隔毎に高度を測定する高度測定手段と、前記高度測定手段により測定された高度データを記憶する高度記憶手段と、予め定められた基準高度差以上の上昇及び下降を含む動作の組み合わせからなる高度変化動作の回数を記憶する回数記憶手段と、前記回数記憶手段に記憶された回数の前記高度変化動作の期間中に計測された上昇高度差、及び／又は、下降高度差の累積値を記憶する累積垂直高度記憶手段と、を備える高度計における高度計の自動計数方法であって、
前記高度測定手段による測定開始時に測定された初期高度を前記高度記憶手段に記憶させる初期高度記憶制御ステップと、
前記高度測定手段により測定された高度データに基づいて前記初期高度から最初に前記基準高度差上昇したか否かを判別する動作開始判別ステップと、
各回の前記高度変化動作における下降時に前記高度測定手段により測定された最低高度を前記高度記憶手段に記憶させる最低高度記憶制御ステップと、
各回の前記高度変化動作の期間中に、前記高度測定手段により測定された高度データに基づいて前記最低高度から前記基準高度差上昇したか否かを判別する動作継続判別ステップと、
前記動作開始判別ステップにより最初に前記基準高度差上昇したと判別された場合、及び、前記動作継続判別ステップにより前記基準高度差上昇したと判別された毎に、前記回数記憶手段が記憶する回数データを歩進させる歩進ステップと、
前記動作継続判別ステップにより前記基準高度差上昇したと判別された場合に、前回の基準高度差上昇に対応する前記高度変化動作の期間を決定し、当該高度変化動作の期間内での高度差に基づき移動垂直高度を算出して当該移動垂直高度を前記累積垂直高度記憶手段に記憶されている累積垂直高度データに積算させると共に、前記高度記憶手段に記憶させた前記最低高度を初期化して前記最低高度記憶制御ステップ、及び、前記動作継続判別ステップを再動作させる計測制御ステップと
を含むことを特徴とする高度計の自動計数方法。